(57)【要約】本発明は、間隔をあけられた電極を有する第１のディスプレイ範囲を有する基板を有する、１つ又はそれより多い第１の発光タイルを有するタイルディスプレイ構造に係る。発光材料を有する少なくとも１つの層は、間隔をあけられた電極の間に与えられる。非ディスプレイ範囲は、ディスプレイ基板の端部における接続点に対してディスプレイ範囲における間隔をあけられた電極を電気的に接続するよう、導体を備えられる。間隔をあけられた電極は、電流を受ける際に発光ピクセル素子を発出する。また、１つ又はそれより多い第２の発光タイルは、間隔をあけられた電極を有する第２のディスプレイ範囲と、間隔をあけられた電極間における発光材料を有する少なくとも１つの層とを有する、基板を有して与えられる。第２の発光タイルは、他のタイル基板の非ディスプレイ範囲の上方にスタックされ、第１のディスプレイ範囲と位置を合わせられる。第２のディスプレイ範囲の間隔をあけられた電極は、電流を受ける際に発光ピクセル素子を発出する。
2008521057.tif 000002
【特許請求の範囲】
【請求項１】
タイルＯＬＥＤディスプレイ構造であって、
ａ）  １つ又はそれより多い第１のＯＬＥＤタイルと、
ｂ）  １つ又はそれより多い第２のＯＬＥＤタイルと、
を有し、
前記第１のＯＬＥＤタイルは、
間隔をあけられた電極を有する第１のディスプレイ範囲と、
前記間隔をあけられた電極と前記ディスプレイ基板の端部における接続点に対して前記ディスプレイ範囲における前記間隔をあけられた電極を電気的に接続するよう導体を有する非ディスプレイ範囲との間における、有機発光材料を有する少なくとも１つの層と、
を有する基板を有し、前記間隔をあけられた電極は、電流を受ける際に発光ピクセル素子を発出し、
前記第２のＯＬＥＤタイルは、
間隔をあけられた電極を有する第２のディスプレイ範囲と、
他のＯＬＥＤタイル基板の前記非ディスプレイ範囲の上方にスタックされ、前記第１のディスプレイ範囲と位置を合わせられる前記間隔をあけられた電極間における、有機発光材料を有する少なくとも１つの層と、
を有する基板を有し、前記第２のディスプレイ範囲の前記間隔をあけられた電極は、電流を受ける際に発光ピクセル素子を発出する、
タイルＯＬＥＤディスプレイ構造。
【請求項２】
ａ）  １つ又はそれより多いディスプレイ範囲と非ディスプレイ範囲とを有するディスプレイ基板と、
ｂ）  前記ディスプレイ基板にわたって位置決めされ、前記ディスプレイ基板上の前記ディスプレイ範囲に近接し且つ位置を合わせられるディスプレイ範囲を有する、１つ又はそれより多いＯＬＥＤディスプレイタイルと、
ｃ）  前記ディスプレイ基板上の非ディスプレイ範囲にわたって各々が位置決めされ、１つ又はそれより多いＯＬＥＤディスプレイタイルに対して近接する、１つ又はそれより多い支持タイルと、
ｄ）  支持タイルにわたって位置決めされ、近接するＯＬＥＤディスプレイタイルの前記ディスプレイ範囲と位置を合わせられるディスプレイ範囲を有する、１つ又はそれ以上のＯＬＥＤディスプレイタイルと、
を有する、
請求項１記載のタイルＯＬＥＤディスプレイ構造。
【請求項３】
前記ディスプレイタイルは、パッシブマトリクスディスプレイである、
請求項１記載のＯＬＥＤディスプレイ構造。
【請求項４】
前記間隔をあけられた電極のうち１つは、透明である、
請求項１記載のＯＬＥＤディスプレイ構造。
【請求項５】
各ＯＬＥＤディスプレイタイルの前記導体に対して接続される１つ又はそれ以上の電気コネクタを更に有する、
請求項１記載のＯＬＥＤディスプレイ構造。
【請求項６】
ＯＬＥＤタイルの前記基板は、その上方のＯＬＥＤタイルの前記基板を越えて突出する、
請求項１記載のＯＬＥＤディスプレイ構造。
【請求項７】
前記発光材料は、有機発光材料である、
請求項１記載のＯＬＥＤディスプレイ構造。
【請求項８】
前記発光材料は、１つ又はそれより多い有機材料を有する層を有する、
請求項１記載のＯＬＥＤディスプレイ構造。
【請求項９】
前記発光材料は更に、正孔注入材料、ホール輸送材料、発光材料、電子伝達材料、及び電子注入材料を有する１つ又はそれより多い層を有する、材料の層を有する、
請求項８記載のＯＬＥＤディスプレイ構造。
【請求項１０】
前記ＯＬＥＤディスプレイタイル及び支持タイルは、接着剤を有して付加される、
請求項１記載のＯＬＥＤディスプレイ構造。
【請求項１１】
前記ＯＬＥＤディスプレイタイルの各々にわたって位置決めされ、前記ＯＬＥＤディスプレイタイル基板に対して付加される、別個の封入カバーを更に有する、
請求項１記載のＯＬＥＤディスプレイ構造。
【請求項１２】
前記封入カバーは、前記間隔をあけられた電極にわたって位置決めされる層である、
請求項１記載のＯＬＥＤディスプレイ構造。
【請求項１３】
前記ＯＬＥＤディスプレイタイル及び前記支持タイルの全てにわたって位置決めされ、前記ディスプレイ基板に対して付加される、封入カバーを更に有する、
請求項２記載のＯＬＥＤディスプレイ構造。
【請求項１４】
タイルディスプレイ構造であって、
ａ）  １つ又はそれより多い第１の発光タイルと、
ｂ）  １つ又はそれより多い第２の発光タイルと、
を有し、
前記第１の発光タイルは、
間隔をあけられた電極を有する第１のディスプレイ範囲と、
前記間隔をあけられた電極と前記ディスプレイ範囲における前記間隔をあけられた電極を前記ディスプレイ基板の端部における接続点に対して電気的に接続するよう導体を有する非ディスプレイ範囲との間における、発光材料を有する少なくとも１つの層と、
を有する基板を有し、前記間隔をあけられた電極は、電流を受ける際に発光ピクセル素子を発出し、
前記第２の発光タイルは、
間隔をあけられた電極を有する第２のディスプレイ範囲と、
他のタイル基板の前記非ディスプレイ範囲の上方にスタックされ、前記第１のディスプレイ範囲と位置を合わせられる前記間隔をあけられた電極間における、発光材料を有する少なくとも１つの層と、
を有する基板を有し、前記第２のディスプレイ範囲の前記間隔をあけられた電極は、電流を受ける際に発光ピクセル素子を発出する、
タイルディスプレイ構造。
【請求項１５】
ａ）  １つ又はそれより多いディスプレイ範囲と非ディスプレイ範囲とを有するディスプレイ基板と、
ｂ）  前記ディスプレイ基板にわたって位置決めされ、前記ディスプレイ基板上の前記ディスプレイ範囲に近接し且つ位置を合わせられるディスプレイ範囲を有する、１つ又はそれより多いディスプレイタイルと、
ｃ）  前記ディスプレイ基板上の非ディスプレイ範囲にわたって各々が位置決めされ、１つ又はそれより多いディスプレイタイルに対して近接する、１つ又はそれより多い支持タイルと、
ｄ）  支持タイルにわたって位置決めされ、近接するディスプレイタイルの前記ディスプレイ範囲と位置を合わせられるディスプレイ範囲を有する、１つ又はそれ以上のディスプレイタイルと、
を有する、
請求項１４記載のタイルディスプレイ構造。
【請求項１６】
前記ディスプレイタイルは、パッシブマトリクスディスプレイである、
請求項１４記載のディスプレイ構造。
【請求項１７】
前記間隔をあけられた電極のうち１つは、透明である、
請求項１４記載のディスプレイ構造。
【請求項１８】
各ＯＬＥＤディスプレイタイルの前記導体に対して接続される１つ又はそれ以上の電気コネクタを更に有する、
請求項１４記載のディスプレイ構造。
【請求項１９】
タイルの前記基板は、その上方のタイルの前記基板を越えて突出する、
請求項１４記載のディスプレイ構造。
【請求項２０】
前記発光材料は、有機発光材料である、
請求項１４記載のディスプレイ構造。
【請求項２１】
前記発光材料は、１つ又はそれより多い有機材料を有する層を有する、
請求項１４記載のディスプレイ構造。
【請求項２２】
前記発光材料は更に、正孔注入材料、ホール輸送材料、発光材料、電子伝達材料、及び電子注入材料を有する１つ又はそれより多い層を有する、材料の層を有する、
請求項２１記載のディスプレイ構造。
【請求項２３】
前記ディスプレイタイル及び支持タイルは、接着剤を有して付加される、
請求項１４記載のディスプレイ構造。
【請求項２４】
前記ディスプレイタイルの各々にわたって位置決めされ、前記ディスプレイタイル基板に対して付加される、別個の封入カバーを更に有する、
請求項１４記載のディスプレイ構造。
【請求項２５】
前記封入カバーは、前記間隔をあけられた電極にわたって位置決めされる層である、
請求項２４記載のディスプレイ構造。
【請求項２６】
前記ディスプレイタイル及び前記支持タイルの全てにわたって位置決めされ、前記ディスプレイ基板に対して付加される、封入カバーを更に有する、
請求項１５記載のディスプレイ構造。
【発明の詳細な説明】
【技術分野】
【０００１】
本発明は、複数のスタックされたタイルを有するＯＬＥＤフラットパネルディスプレイ装置に係る。
【背景技術】
【０００２】
電子ディスプレイ装置は、コンピュータからの情報を表示するよう一般的に使用される。典型的なディスプレイ装置は、携帯機器において使用される小型ディスプレイから、数千人が見ることができる大変大きなディスプレイにまで及ぶ。大型ディスプレイは、より小型のディスプレイ機器を共にタイル張りする（ｔｉｌｉｎｇ）ことから作られることがある。例えば、複数のビデオディスプレイを使用するビデオウォールは、電子媒体において頻繁に見られ、フラットパネルディスプレイは、より大きなディスプレイを作るようタイル張りされる。大型のタイル張りされた高解像度ディスプレイを作るよう使用される複数のプロジェクタ装置はまた、使用可能である。
【０００３】
タイルディスプレイ（ｔｉｌｅｄ  ｄｉｓｐｌａｙ）は、先行技術において周知である。例えば２００４年１月２７日発行、米国特許第６，６８３，６６５  Ｂ１号明細書（特許文献１）は、各タイルがディスプレイ部分及び電子技術部分を有するタイル構造を記載する。タイルは、フレームを使用してアレイへと共に固定される。あるいは、２００２年１２月２４日発行、米国特許第６，４９８，５９２号明細書（特許文献２）は、電気機器を有する単一の基板及びディスプレイの使用を記載する。しかしながら、記載される通り、かかる設計は、電子基板を介するビア（ｖｉａｓ）の使用を求め、ＯＬＥＤディスプレイ等においてディスプレイ構成部品に対して密封を求めるディスプレイに対しては問題がある。ガラス基板におけるビアは、構成が困難であり、他の基板の使用は、ディスプレイ材料を密封するよう十分適切ではない。更には、設計は、追加的なフレームを求め、巻取り（ｒｏｌｌ−ｔｏ−ｒｏｌｌ）製造に対して十分適切ではない。
【０００４】
ディスプレイタイルの重畳に依存する他の技術は、２００３年５月２２日発行、ＷＯ  ０３／０４２９６６、「Ｄｉｓｐｌａｙ  ｆｏｒ  ａ  Ｌａｒｇｅ  Ｐａｎｅｌ  Ｄｉｓｐｌａｙ  Ｃｏｎｓｉｓｔｉｎｇ  ｏｆ  Ｔｉｌｅｄ  Ｄｉｓｐｌａｙｓ」（特許文献３）において記載される。この方法は、複雑な支持構造を及び複数のプリント回路基板を使用する。更には、タイルの継ぎ目は、ディスプレイが角度をずらして見られる際に可視となり得る。
【特許文献１】米国特許第６，６８３，６６５  Ｂ１号明細書
【特許文献２】米国特許第６，４９８，５９２号明細書
【特許文献３】ＷＯ  ０３／０４２９６６
【発明の開示】
【発明が解決しようとする課題】
【０００５】
したがって本発明は、上述された問題を克服する改善されたチルトディスプレイ装置を与える、ことを目的とする。
【課題を解決するための手段】
【０００６】
本発明の１つの態様によれば、ａ）１つ又はそれより多い第１のＯＬＥＤタイル、及び、ｂ）１つ又はそれより多い第２のＯＬＥＤタイルを有する、タイルＯＬＥＤディスプレイ構造が与えられる。ａ）第１のＯＬＥＤタイルは、間隔をあけられた電極を有する第１のディスプレイ範囲と、間隔をあけられた電極とディスプレイ範囲における間隔をあけられた電極をディスプレイ基板の端部における接続点に対して電気的に接続する導体を有する非ディスプレイ範囲との間における有機発光材料を有する、少なくとも１つの層と、を有する基板を有する。該間隔をあけられた電極は、電流を受ける際に発光ピクセル素子を発出する。ｂ）第２のＯＬＥＤタイルは、間隔をあけられた電極を有する第２のディスプレイ範囲と、他のＯＬＥＤタイル基板の非ディスプレイ範囲の上方にスタックされ、第１のディスプレイ範囲と位置を合わせられる間隔をあけられた電極間における、有機発光材料を有する少なくとも１つの層と、を有する基板を有する。第２のディスプレイ範囲の間隔をあけられた電極は、電流を受ける際に発光ピクセル素子を発出する。
【０００７】
本発明の他の態様によれば、ａ）１つ又はそれより多い第１の発光タイル、及び、ｂ）１つ又はそれより多い第２の発光タイルを有する、タイルディスプレイ構造が与えられる。ａ）第１の発光タイルは、間隔をあけられた電極を有する第１のディスプレイ範囲と、間隔をあけられた電極とディスプレイ範囲における間隔をあけられた電極をディスプレイ基板の端部における接続点に対して電気的に接続する導体を有する非ディスプレイ範囲との間における、発光材料を有する少なくとも１つの層と、を有する基板を有する。該間隔をあけられた電極は、電流を受ける際に発光ピクセル素子を発出する。ｂ）第２の発光タイルは、間隔をあけられた電極を有する第２のディスプレイ範囲と、他のタイル基板の非ディスプレイ範囲の上方にスタックされ、第１のディスプレイ範囲と位置を合わせられる間隔をあけられた電極間における、発光材料を有する少なくとも１つの層と、を有する基板を有する。第２のディスプレイ範囲の間隔をあけられた電極は、電流を受ける際に発光ピクセル素子を発出する。
【０００８】
本発明は、タイルディスプレイが、大変単純な電気相互接続を活用し、基板ビアを求めず、連続的な工程において製造するよう単純であり、向上された生産性を有する、という利点を有する。
【０００９】
本発明のこれらの及び他の態様、目的、特性、及び利点は、添付の図面を参照して、望ましい実施例の以下の詳細な説明及び添付の請求項からより明らかに理解及び認識される。
【発明を実施するための最良の形態】
【００１０】
本発明の上述の及び他の目的、特性、及び利点は、以下の説明及び図面と併せてより明らかとなる。同一の参照符号は、可能であれば、図中共通である同一の特性を示すよう使用されている。
【００１１】
図中の要素の寸法における差異が大きく一定の比率で（ａｔ  ｓｃａｌｅ）描写し得ないため、図中の層は縮尺で製図（ｓｃａｌｅ）されない。
【００１２】
図１ａ及び１ｂを参照すると、本発明に従ってディスプレイ構造１０を作る第１の段階が示されている。図示される実施例では、ディスプレイ構造１０は、ＯＬＥＤ（有機発光ダイオード）を有するが、本発明はそれに制限されず、構造１０は、ＬＥＤ（発光ダイオード）又はＬＣＤ（液晶ディスプレイ）を有し得る。ディスプレイ構造１０を構築する第１の段階は、支持基板１２を与えることである。基板１２は、適切な材料及び適切な構造を有して作られ得る。基板１２は、剛性又は可撓性であり、ガラス、金属、プラスチック、可撓性ガラス、又は可撓性金属フォイルを有し得る。一実施例では、複数の第１の電極８は、まず基板１２上に蒸着される。発光材料１３は、複数の第１の電極８にわたって蒸着され、例えば、正孔注入、ホール輸送、発光、電子伝達、及び電子注入の層を有する有機材料の複数層を有し得る。かかる層は、技術的に周知である方法を使用して基板１２上へと形成及び蒸着され得る。該方法は、例えば、基板１２上に矩形のディスプレイ範囲１４を形成するようスピンコーティング又はカーテンコーティング等のコーティング手段又は蒸発手段を使用するものである。１つ又はそれより多い第２の電極９は、発光材料１３にわたって形成される。第１及び第２の電極８，９は、基板１２の端部１１の近くに延在する導体１６に対して電気的に接続される。該導体は、例えば信号及び電極を与えるようワイヤを有する電気ケーブルを有して、外部接続を使用し得る。発光材料１３に対する制御は、導体及び電極（図示せず）に対して接続されるパッシブマトリクス制御ドライバであり得る。あるいは、アクティブマトリクス機器が使用され得るが、該機器は、基板上に形成される電気構成部品の増大する数により、位置合わせがより困難である。発光ピクセル素子１５（破線で表示）は、第１及び第２の電極８，９が重畳し、発光材料１３を介して電流を流すところで作られる。
【００１３】
図１ａ中に示される通り、４つの矩形のディスプレイ範囲１４は、各範囲１４の２つの側部１７上で隣接し、各ディスプレイ範囲１４の残りの２つの側部１９上で導体１６によって接続される別個の電極８，９を有して基板１２にわたって形成される（図１ｂ参照）。別個のコントローラ及び電気接続は、故に、各ディスプレイ範囲１４に対して与えられ得る。周知の通り、パッシブマトリクスディスプレイは、基板１２上のアクティブ電子構成部品の製造を求めないため、アクティブマトリクスディスプレイと比較して単純且つ安価に製造される。しかしながら、パッシブマトリクスディスプレイは、ディスプレイがより大きくなるにつれて増大するコネクタの負荷及び長い接続により、一般的に寸法が制限される。本発明は、タイル構造を使用することによってかかる制限を克服する。各ディスプレイ範囲１４に対して別個のコントローラ及び接続を用いることによって、本発明は、各ディスプレイ範囲に対する接続の数及び寸法を低減し、実用的であるより大きなディスプレイ、特にはパッシブマトリクスディスプレイを可能にする。
【００１４】
ディスプレイ１０は、ディスプレイ基板１２に対して接着剤を有して付加される単一の封入カバー（図示せず）を有して封入され得る。あるいは、各ＯＬＥＤディスプレイタイルは、それ自体のカバーを有して別個に封入され得る。いずれの場合においても、導体又は何らかの接続ケーブルがカバーの下方又はカバーを介して通るよう、遊びが作られなければならない。望ましくは、封入カバーは、ディスプレイ全体の厚さを最小限に抑えるよう、大変薄い。特には、コーティングされる封入カバーは、上部の間隔をあけられた電極にわたって位置決めされ、薄い絶縁保護コーティングを有する、ことが望まれる。
【００１５】
ディスプレイ１０の製造における次の段階は、図２ａによって示される。図中、４つのディスプレイタイル２０は、基板１２上にスタックされ、各ディスプレイタイル２０は、ディスプレイ範囲２２を有するタイル基板２６と電極２４とを有する。故に、ディスプレイタイル２０のディスプレイ範囲２２は、タイル基板１２の非ディスプレイ範囲の上方にある。ディスプレイ範囲２２及び電極導体２４は、ディスプレイ範囲１４及び導体１６に対して実質的に同一であり、同様の参照符号は、ディスプレイ基板１２上に形成される同様の部品及び作動を示す。しかしながら、タイル２０は、ディスプレイ基板１２より小さく、ディスプレイ範囲１４の上方及び下方端部からディスプレイ基板１２の上方及び下方端部まで延在する。基板２６上のディスプレイ範囲２２は、基板２６の端部２７近くに形成され、電極８，９によって形成されるピクセル１５は、ディスプレイ基板１２上に基板８，９によって形成されるピクセル１５と同一の寸法及びピッチを有する。追加的な非ディスプレイ範囲空間３１は、続く支持基板３０に対してタイル基板１２上に与えられる。タイルディスプレイにおいて十分理解される通り、夫々、タイル基板１２及び２６上でディスプレイ範囲１４及び２２の端部２７に近接するピクセル１５間の距離Ｄは、各基板１２，２６上のピクセル間距離Ｄ１に対して同等でなければならない。それ故に、ピクセル１５は、ディスプレイ範囲１４及び２２にわたって均一であるように思われる。タイル基板２６は、より大きな角度において見られる際にディスプレイの均一性を保持するよう、実行可能であるように薄くなければならず、望ましくは厚さ５００ミクロンより薄い。特には、タイル基板２６の厚さは、ピクセル１５の寸法に対して小さくあるべきである。例えば、大型ディスプレイは、近接するピクセル１５間において０．５ｍｍのギャップＧを有する３ｍｍのピクセル１５を有し得る。透明なタイル基板２６はまた、タイル基板２６を介してディスプレイ基板１２上のピクセルからの光を通すことによって、大きな角度においてみられる際にディスプレイにおける非均一性を低減するよう、有用である。
【００１６】
図３を参照すると、ディスプレイ構造１０を作る次の段階が示される。支持基板３０は、ディスプレイ範囲１４を取り巻く開放矩形を形成するよう、ディスプレイ基板１２の上方でＯＬＥＤタイル２０に対して近接する開口空間３１において位置付けられる。支持基板３０は単純に、次の層において位置決めされるＯＬＥＤタイルを支持するよう空間３１を埋める役割を果たす。
【００１７】
図４を参照すると、ＯＬＥＤタイル４０の第２の層は、基板３０及びＯＬＥＤタイル２０の上方に（スタックされて）位置決めされる。ＯＬＥＤタイル４０のディスプレイ範囲４２は、ディスプレイ範囲１４の端部１７と位置を合わせられ、そのピクセル寸法及びピッチは、他のディスプレイ範囲１４及び２２におけるそれらと一致する。ＯＬＥＤタイル４０は、ＯＬＥＤタイル２０の導体２４と同様である電極導体４４を有する基板４６上に構築される。
【００１８】
図５を参照すると、ディスプレイ範囲５２を有するＯＬＥＤタイル５０の第３の層は、ディスプレイ基板４６の各角部において、ＯＬＥＤタイル２０の非ディスプレイ範囲の上方に位置決めされ、位置合わせをされ、１６のディスプレイ範囲１４，２２，４２，５２を有する近接する、連続する均等な矩形ディスプレイ範囲６４を形成する。ＯＬＥＤタイル５０は、夫々ＯＬＥＤタイル２０及び４０の導体２４及び４４に類似する導体５４を有する基板５６上に構築される。
【００１９】
電極１６，２４，４４、及び５４は全て、タイル層の端部を越えて延在するため、電極に対して電気ケーブルを接続するよう空間が与えられる。あるいは、ドライバ自体が、タイルの端部上に位置決めされ得る。各ＯＬＥＤタイル２０，４０，５０及びディスプレイ基板上のディスプレイ範囲１４，２２，４２，５２は、等しく又は別個に駆動され得るため、より大きなディスプレイを可能にする。各ＯＬＥＤタイル２０，４０、及び５０は、技術的に既知である通りカバーを有して別個に封入され得るか、あるいは、ディスプレイ構造１０全体が１つのより大きなカバー下に封入され得る。
【００２０】
基板２０及び４０は、同様の寸法を有するが、基板の半分野向は、基板の他方の半分の鏡像である。この同様の寸法及び対称性は、製造コストを低減させる。基板４６は、基板２６より僅かに小さくなければならず、コネクタがコントローラに対して接続され得るよう導体２４が基板４６を越えて延在し得るようにする。同様にして、支持タイル３０は、オイルタイル５０に対して同様の寸法を有するが、ＯＬＥＤタイル５０は、一次元において（ｉｎ  ｏｎｅ  ｄｉｍｅｎｓｉｏｎ）基板４６より僅かに小さく、導体４４が基板４６を越えて延在し得るようにしなければならない。
【００２１】
ディスプレイ範囲１４，２２，４２、及び５２は、一致し、ＯＬＥＤ技術において周知である通り、一般的な蒸着及びマスキング技術を使用して構築され得る。各ＯＬＥＤタイルは、ディスプレイ基板１２上への組立て前に個別にテストされ得、従って最終的な組み立てられたディスプレイにおける生産性を高める。
【００２２】
作動において、電力は、電極１６，２４，４４、及び５４を介してコントローラ（図示せず）によって与えられ、各タイルのディスプレイ範囲のピクセル１５においてＯＬＥＤ材料を介して電流を流すようにする。電流により、各ピクセル１５は、制御される通りに点灯される。ＯＬＥＤ機器の制御及び作動は、技術的に周知である。
【００２３】
本発明は、４×４のアレイにおける１６のタイルを有する一実施例において説明されてきた。他の配置は可能である。例えば、３×３のアレイは、ディスプレイ基板１２の中心において単一の中心ディスプレイ範囲１４を位置決めすることによって形成され得、ディスプレイ基板２６上のディスプレイ範囲２４の周辺に、並びにディスプレイ範囲２４と位置合わせをして、４つの一致するＯＬＥＤタイル２１を位置決めする。４つの角部のタイル５０は、完全な矩形のアレイを形成するよう、ＯＬＥＤタイル２０の非ディスプレイ範囲の上方に位置決めされ得る。同様にして、例えば５×５アレイにおける２５のタイルを有する、より大きなディスプレイが作られ得る。各配置において、間に支持タイルを有するＯＬＥＤタイルの連続するスタック層は、必要に応じて、ディスプレイ範囲の連続アレイ６４を形成し得る。
【００２４】
スタックタイル配置により、ディスプレイ基板１２は、大変大きく、例えば１平方メートル又はそれより大きくなり得る。他の一実施例では、ディスプレイ基板１２の中心にわたって最初のＯＬＥＤタイルを位置決めすることが可能であるため、ＯＬＥＤ材料及び電極は、ディスプレイ基板上に蒸着される必要はない。例えば、ディスプレイ基板１２の寸法の四分の１のＯＬＥＤタイルは、ＯＬＥＤタイル及び支持タイルの後続の層に対する支持を形成するよう、ディスプレイ基板の各四分円（ｑｕａｄｒａｎｔ）上に位置付けられ得る。
【００２５】
あるいは、支持タイルは、ＯＬＥＤタイルへと一体にされ得るため、タイル基板は図示されるより大きい。この場合、非ディスプレイ範囲は下方にあるディスプレイ範囲にわたって位置決めされる。
【００２６】
本発明は、ディスプレイ及びタイル基板が連続的なウェブ上でつくられる連続的な製造工程において製造され得る。基板は、製造されると、選び出され（ｓｉｎｇｕｌａｔｅｄ）組立てられ得る。スタックタイル構造の使用は、タイル間の接続又は基板におけるビアに対する必要性を除去し、したがって封入を強化し、信頼性を高め、製造コストを低減する。
【００２７】
望ましい一実施例では、本発明は、小分子又は高分子を有するＯＬＥＤディスプレイ機器のタイルフラットパネルアレイ（ｔｉｌｅｄ  ｆｌａｔ−ｐａｎｅｌ  ａｒｒａｙ）において取り入れられ、制限的ではないが、１９９８年９月６日発行、Ｔａｎｇ外、米国特許第４，７６９，２９２号明細書、及び、１９９１年１０月２９日発行、ＶａｎＳｌｙｋｅ外、米国特許第５，０６１，５６９号明細書において開示される通りである。有機発光ディスプレイの多種の組合せ及び変形は、かかる機器を製作するよう使用され得る。
【００２８】
本発明は、特定の望ましい実施例を特に参照して詳細に説明されてきたが、変形及び修正が本発明の趣旨及び範囲内で達成され得る、ことは理解される。
【図面の簡単な説明】
【００２９】
【図１ａ】本発明の一実施例に従ったディスプレイ基板に付加される図１ｂ中の位置を合わせられた複数のディスプレイ範囲／タイルを有するディスプレイ基板の斜視図である。
【図１ｂ】支持基板上の本発明の一実施例に従った単一のディスプレイ範囲の斜視図である。
【図２ａ】ディスプレイ範囲／タイルの第１の層が与えられる、図１ａ中のディスプレイ基板の斜視図である。
【図２ｂ】円２６によって示される、図２ａの拡大部分平面図である。
【図３】ディスプレイ基板に対して付加される支持タイルを有する図２ａ中のディスプレイ基板の斜視図である。
【図４】支持基板にわたって位置決めされる位置合わせをされたディスプレイ範囲／タイルを有する図２ａ中のディスプレイ基板の斜視図である。
【図５】本発明の一実施例に従った１６タイルディスプレイを作る次の段階における図４中の斜視図である。
【図１ａ】
2008521057.tif 000003
【図１ｂ】
2008521057.tif 000004
【図２ａ】
2008521057.tif 000005
【図２ｂ】
2008521057.tif 000006
【図３】
2008521057.tif 000007
【図４】
2008521057.tif 000008
【図５】
2008521057.tif 000009
【国際調査報告】
2008521057.tif 000010
2008521057.tif 000011
2008521057.tif 000012